(57)【要約】【課題】路面や地表からの雨水などを上方の開口部から流し込んで排水するための排水溝であって、排水溝に堆積物の溜まりにくい、或いは溜まっている堆積物を少しでも減らし、また良好な排水機能を維持することのできる排水溝を提供することにある。【解決手段】排水溝の溝内部が、溝深さの方向の中間位置で括れて狭幅な落水口が形成され、且つ、括れの上方が開口部から落水口に向けたテーパー部と、落水口の下方の流水路とを有している。また落水口の幅が、当該排水溝に流れ込む雨水がテーパー部に溜まり得ると共に、溜まった雨水が落水口から落水する際にノズルとして機能し得る狭幅に形成されている。【選択図】    図１
2004278206.tif 000002
【特許請求の範囲】
【請求項１】
路面や地表からの雨水などを上方の開口部から流し込んで排水するための排水溝であって、
この排水溝の溝内部が、溝深さの方向の中間位置で括れて狭幅な落水口が形成され、
且つ、前記括れの上方が前記開口部から前記落水口に向けたテーパー部と、前記落水口の下方の流水路とを有することを特徴とする排水溝。
【請求項２】
落水口が流水路の略幅中央に位置することを特徴とする請求項１記載の排水溝。
【請求項３】
落水口の幅が、
当該排水溝に流れ込む雨水が前記テーパー部に溜まり得ると共に、溜まった雨水が前記落水口から落水する際にノズルとして機能し得る狭幅に形成されたことを特徴とする請求項１または２に記載の排水溝。
【請求項４】
テーパー部のテーパー面に、このテーパー面を流れ落ちる雨水の流れを排水溝の下流方向に向ける為の凸部が凸設されたことを特徴とする請求項１〜３のいずれかに記載の排水溝。
【発明の詳細な説明】
【０００１】
【発明の属する技術分野】
この発明は、排水溝の改良に関し、詳しくは流れこむ排水溝に流れ込む雨水の勢いを利用して排水溝底部の堆積物を流すことのできる排水溝に関する。
【０００２】
【従来の技術と発明が解決しようとする課題】
排水溝には地表や路面の雨水が流し込まれ、下水処理場や、場合によっては直接河川などに流される様になっている。この様な排水溝には、コンクリート蓋のされることもあるが、排水溝の埋設場所や周辺の状況によっては雨水の溜まりやすい地形であったりすることもある。この様な場合コンクリート蓋には、流れ込むための穴が設けられているが、この穴が小さく、流し込みきれない場合もあるので、この様な場合にはグレーチングを用いている。グレーチングの蓋は、蓋面のほぼ全面に格子穴が設けられているので、多量の雨水が流れ込む様な場合でもこれに対処できるのである。
【０００３】
しかし排水溝は雨水とともに土やゴミなども流れ込み、或いは雨の降っていない時も入り込み、これらが排水溝の底部に堆積物として体積して排水の妨げとなっている。そのため定期的に排水溝の中を清掃して、これら堆積物を掻き出している。
【０００４】
また堆積した堆積物に対する提案も成されており、特願平９−３０７１７、特願平９−３０２５２には、排水溝を流れる排水の流れを利用して堆積物を攪拌し、堆積物を排水で流すことにより、堆積物を減らす工夫が記載されている。
ただ、この様な排水溝内部の堆積物に対しては各状況に応じた様々な対応が求めにれており、排水溝の設置場所等に適した堆積物への対応が求められている。
【０００５】
以上の問題を鑑み、本願発明の目的とするところは、排水溝に堆積物の溜まりにくい、或いは溜まっている堆積物を少しでも減らし、また良好な排水機能を維持することのできる排水溝を提供することにある。
【０００６】
【特許文献１】
特願平９−３０７１７号公報
【特許文献２】
特願平９−３０２５２号公報
【０００７】
【課題を解決するための手段と発明の効果】
この目的を解決するため、本願請求項１記載の発明では、路面や地表からの雨水などを上方の開口部から流し込んで排水するための排水溝であって、この排水溝の溝内部が、溝深さの方向の中間位置で括れて狭幅な落水口が形成されたものであり、且つ、前記括れの上方が前記開口部から前記落水口に向けたテーパー部と、前記落水口の下方の流水路とを有することを特徴とする排水溝を要旨とした。
【０００８】
これにより、排水溝に流れ込む雨水は、例えば従来からＵ字溝などであれば、側溝の側面を伝って流れ落ちる雨水が、落水口から落水させられこととなる。これにより例えば、排水溝の底部に堆積物が堆積した状態の排水溝は、雨天の時にはこの堆積物の表面を排水がなでれるのであるが、ここに落水口から雨水が落水させられると、その落水地点の堆積物は落水により掘り起こされ状態となり、掘り起こされた堆積物は、そこ流れる排水の流れで流されることとなり、結果、堆積物を減らし、堆積物に妨げられていた排水の流れも良好になるのである。
また従来のＵ字溝などにおいては、左右の溝壁に伝って別々に流れ落ちていた雨水が落水地点にまとめられて落水するので、滝が滝壺を掘る様に堆積物をえぐる働きが強くなり、堆積物を流して捨てる効果が良好に得られる。
【０００９】
請求項２記載の発明は、請求項１記載の発明において、落水口が流水路の略幅中央に位置することを特徴とした排水溝を要旨としている。
これにより、雨水の落水地点が流水路の略幅中央となり、ここの堆積物がえぐられることとなり、また堆積物はその表面が平らなのではなく、流れの道が自然にできるのであるが、これは概ね排水路の幅中央となる確率が高く、これに合った箇所に落水させることができる。
【００１０】
請求項３記載の発明は、請求項１または２に記載の発明において、落水口の幅が、当該排水溝に流れ込む雨水が前記テーパー部に溜まり得ると共に、溜まった雨水が前記落水口から落水する際にノズルとして機能し得る狭幅に形成されたことを特徴とする排水溝を要旨としている。
排水溝は、一般に流れに沿った長手のコンクリート製品であるが、よって落水口は、この長手方向の溝状を成すのであり、落水口の幅とのこの溝状を成す形状における溝幅を云うのである。
この発明は、例えば雨が強い場合などを想定しており、この様な場合には、雨水が道路を川の様に流れる場合が往々にしてあるが、この様な雨水が排水溝の開口部から流れ込む量は相当量になるが、ある程度の流入量を想定し、この流入量より落水量の方が小さいとテーパー部に流入する雨水が溜まることとなる。
「雨水が…溜まり得る…狭幅」とは、排水溝に流れ込む雨水量を任意に定め、この雨水量で溜まる幅を設定すればよく、実施の際には、流れ込む雨水量を設定すれば幅は決まるのである。
【００１１】
請求項４記載の発明は、請求項１〜３のいずれかに記載の発明において、テーパー部のテーパー面に、このテーパー面を流れ落ちる雨水の流れを排水溝の下流方向に向ける為の凸部が凸設されたことを特徴とする排水溝である。
凸部は、テーパー面に斜め下に向けた凸条が一例として考えられ、つまり凸条の下端を排水方向に向けた状態にするなどして形成できるが、これに限らず、流れを制御できるものであればどの様なものであってもよい。
これにより、雨水がテーパー面を流れ落ちる場合には真下に向かって流れ落ちるが、凸部により斜め下に流れ落ちる向きを変えることができ、真下に落水する場合に比べ、排水方向に向けた斜め方向に落水させることにより、堆積物をえぐる効果に寄与する。
【００１２】
【発明の実施の形態】
次ぎに本願発明の実施例の排水溝を説明する。
この排水溝１は、図１〜２に示す様に、断面形状が略Ｕ字状をなし、つまり底部２と底部の左右に立設する側壁３，３とがＵ字状に繋がって形成され、上方開口した開口部４から流入した雨水を流す溝が内面に形成されている。
【００１３】
この溝内部は、溝深さの方向の中間位置で括れて狭幅な落水口５が形成されている。つまり排水溝の左右の側壁３，３は外面は略平面状であるが、内面は図示した様に括れて、括れの上方が開口部４から落水口５に向けたテーパー部６となっている。そして、落水口５の下方は断面略矩形の流水路７と成っている。
【００１４】
またテーパー部６は、排水溝の幅中央を境にして左右が対称に形成されており、よって落水口５は流水路７の略幅中央に位置する様になっている。さらにテーパー部６のテーパー面６ａには、このテーパー面６ａを流れ落ちる雨水の流れを、排水溝１の下流方向に向ける為の凸部８が、凸設されている。この凸部８は、図３に示す様にテーパー面６ａ上にて、斜め下に向いた斜線状の凸部８に形成されていて、この様な凸８部がテーパー面の長手方向に均等な間隔で凸設されている。
【００１５】
また落水口５の幅は、この排水溝１に流れ込む雨水が所定の流量になると落水しきれずにテーパー部６に溜まり様になっている。例えば開口部４が幅４０ｃｍ程度の排水溝１の場合、落水口５の幅には、３ｃｍ、４ｃｍ、５ｃｍなどの幅が例示できる。６〜１０ｃｍ程度の幅であってもよい。
【００１６】
次ぎにこの排水溝の使用方法を説明する。
まず、以上の様な構成による排水溝１を所望の埋設場所に埋設し、その際には、テーパー面に設けられている凸部８の向き（斜線状を成す凸部の下端方向）を、排水溝１の下流方向となる様な向きにして、この排水溝１を埋設するのである。また埋設された排水溝１の開口部４には、グレーチングＡを配置する。グレーチングは、その蓋面が全面に格子状の穴になっているので、流れ込む雨水が大量な場合でてあっても、開口部４から流れ込むことができ、地表に溢れることもないからである。
【００１７】
この様に開口部４から排水溝１に流れ込んだ雨水は、テーパー部６で溝の幅中央に集水させられ、落水口５から下方の流水路７に落水させられることとなる。これにより、従来の排水溝であれば、排水溝の左右の壁部に伝って流れ落ちていた雨水を、滝の様に落水させることができ、更に、従来であれば、左右の壁部を別々に流れ落ちていた雨水を中央に寄せて、いわば１本の滝にまとめることができる。この様に、まとまった量の雨水を流水路７の幅中央に落水させることができるので、下方の流水路７に何らかの堆積物が堆積している場合には、この堆積物にまとまった量の雨水を落水させることができ、堆積物を少しでもえぐり、流れる排水と共に堆積物を流すことができるのである。
【００１８】
また流れ込む雨水量が落水口５からの落水量を超えると、テーパー部６には雨水が溜まり始めるが、このテーパー部６に溜まった雨水が落水する時には、テーパー部６のその先細りしたテーパー形状により、狭幅な落水口５から落水する水が、ノズルから放出される様な状態となって勢いを増し、堆積物により強く落水があたることとなる。そして、この様な勢いを増した落水により、堆積物をえぐる効果が高まり、堆積物を流す機能が促進される。
【００１９】
その際には、テーパー面６ａに凸設させた凸８部が、雨水の流れを排水溝１の下流方向に向ける様になっているので、落水口５から真下に落水するのではなく、排水溝１の下流方向Ｌに向けられた落水となり、その為、落水が流水路７の流れに沿う分だけ、落水の堆積物をえぐる効果が促進される。
【００２０】
なお本願発明は、以上の実施例に限定されるものではなく、本願発明の趣旨から逸脱しない範囲でどの様に実施されてもよい。
排水溝は、Ｕ字溝に限らず逆Ｕ字溝でもよく、テーパー部や流水路の形状もどの様でもよい。例えば図４に示す様な様々な排水溝であってもよく、更にこれら以外にも様々な形状であってよい。
【図面の簡単な説明】
【図１】この図は、実施例に示した排水溝の説明図である。
【図２】この図は、図１の排水溝の斜視図である。
【図３】この図は、図２におけるＸ−Ｘ断面図である。
【図４】この図は、本願発明の排水溝の様々な態様を示す図である。
【符号の説明】
１  排水溝
２  底部
３  側壁
４  開口部
５  落水口
６  テーパー部
７  流水路
８  凸部
Ａ  グレーチング
【図１】
2004278206.tif 000003
【図２】
2004278206.tif 000004
【図３】
2004278206.tif 000005
【図４】
2004278206.tif 000006